(57)【特許請求の範囲】
【請求項１】
ワイドアレイ・プリントヘッド・モジュールであって、
複数のプリントヘッド・ダイであって、前記プリントヘッド・ダイの各々が、
印刷媒体上にインクを噴射するための複数のノズルであって、複数のプリミティブを形成している複数のノズルと、
前記ノズルの各々に結合されたノズル噴射ヒーターと
を含む複数のプリントヘッド・ダイと、
前記プリミティブに関連する前記ノズルの各々について前記ノズル噴射ヒーターを駆動する複数の駆動パルスを制御するための１つの特定用途向け集積回路（ＡＳＩＣ）と
を含み、
前記駆動パルスは、各プリントヘッド・ダイ内の内部遅延要素によって前記プリミティブの間において遅延され、前記プリントヘッド・ダイの最大電力需要を低減し、
前記ＡＳＩＣが、各プリントヘッド・ダイ内の前記内部遅延要素を較正する、ワイドアレイ・プリントヘッド・モジュール。
【請求項２】
前記駆動パルスは、前記プリントヘッド・ダイの外部遅延によって前記複数のプリントヘッド・ダイの間において遅延され、前記ワイドアレイ・プリントヘッド・モジュールの最大電力要件を低減する、請求項１に記載のワイドアレイ・プリントヘッド・モジュール。
【請求項３】
前記内部遅延要素は、前記プリントヘッド・ダイのアナログ要素、またはデジタル要素であり、前記外部遅延は、前記ＡＳＩＣによってデジタル制御される、請求項２に記載のワイドアレイ・プリントヘッド・モジュール。
【請求項４】
前記駆動パルスの長さは、ノズルの数、プリミティブの数、印刷要求、またはそれらの組み合わせに基づいている、請求項１〜３の何れか一項に記載のワイドアレイ・プリントヘッド・モジュール。
【請求項５】
前記駆動パルスはそれぞれ、複数の駆動パルスを含むパルス列を含み、前記パルス列内の前記駆動パルスの合計によって総駆動エネルギーが形成される、請求項１〜４の何れか一項に記載のワイドアレイ・プリントヘッド・モジュール。
【請求項６】
印刷装置であって、
複数のプリントヘッド・ダイと、
遅延回路を使用して、各プリントヘッド・ダイ内の複数の内部遅延要素を較正し、複数のノズルの各々について複数のノズル噴射ヒーターを駆動する駆動パルスを制御するための特定用途向け集積回路（ＡＳＩＣ）であって、前記ノズルが、複数のプリミティブに関連しており、前記プリミティブが、種々のノズル群として定義されている、特定用途向け集積回路（ＡＳＩＣ）と
を含むワイドアレイ・プリントヘッド・モジュールを含み、
前記駆動パルスは、各プリントヘッド・ダイ内の前記内部遅延要素によって前記プリミティブの間において遅延され、前記プリントヘッド・ダイの最大電力需要を低減する、印刷装置。
【請求項７】
前記駆動パルスは、前記プリントヘッド・ダイの外部遅延によって前記複数のプリントヘッド・ダイの間において遅延され、前記ワイドアレイ・プリントヘッド・モジュールの最大電力要件を低減する、請求項６に記載の印刷装置。
【請求項８】
前記内部遅延要素は、前記プリントヘッド・ダイのアナログ要素、またはデジタル要素であり、前記外部遅延は、前記ＡＳＩＣによってデジタル制御される、請求項７に記載の印刷装置。
【請求項９】
前記駆動パルスの長さは、ノズルの数、プリミティブの数、印刷要求、またはそれらの組み合わせに基づいている、請求項６〜８の何れか一項に記載の印刷装置。
【請求項１０】
前記駆動パルスはそれぞれ、複数の前駆パルス、及び複数の駆動パルスを含み、前記前駆パルスは、前記ノズル噴射ヒーターを駆動してインクを温め、前記駆動パルスは、前記ノズル噴射ヒーターを駆動して前記インクを沸騰させる、請求項６〜９の何れか一項に記載の印刷装置。
【請求項１１】
ワイドアレイ・プリントヘッド・モジュールの最大電力需要を低減する方法であって、特定用途向け集積回路（ＡＳＩＣ）を使用して、
第１の駆動パルスを生成する前にプリントヘッド・ダイの第１のプリミティブ遅延を決定し、
前記プリントヘッド・ダイのプリミティブについて前記第１の駆動パルスを生成し、前記プリミティブが、前記プリントヘッド・ダイの中に画定された複数のノズルに関連しており、
前記第１の駆動パルスにより、前記プリミティブ遅延に基づいて、前記プリミティブに関連する前記ノズルの各々に結合された複数のノズル噴射ヒーターを駆動し、
次の駆動パルスを生成する前に後続のプリミティブ遅延を決定し、
前記後続のプリミティブ遅延に基づいて、前記プリントヘッド・ダイの次のプリミティブについて前記次の駆動パルスを生成すること
を含み、
前記後続のプリミティブ遅延が、前記プリントヘッド・ダイ内の内部遅延要素による内部遅延に基づいている、方法。
【請求項１２】
前記第１の駆動パルス、及び前記次の駆動パルスの長さは、ノズルの数、プリミティブの数、印刷要求、またはそれらの組み合わせに基づいている、請求項１１に記載の方法。
【請求項１３】
前記内部遅延要素は、前記プリントヘッド・ダイのアナログ要素、またはデジタル要素である、請求項１１または請求項１２に記載の方法。
【請求項１４】
前記次の駆動パルスについての前記後続のプリミティブ遅延は、
同時過渡電流を最小限に抑え、及び
電源ライン上のリンギングを最小限に抑えること
によって、当該後続のプリミティブ遅延により前記プリントヘッド・ダイの前記最大電力需要が低減されるような形で、時間的に歪まされている、請求項１１〜１３の何れか一項に記載の方法。
【請求項１５】
前記第１の駆動パルス、及び次の駆動パルスはそれぞれ、単一の電圧パルス、または複数の電圧パルスを含む、請求項１１〜１４の何れか一項に記載の方法。
【発明の詳細な説明】
【背景技術】
【０００１】
印刷装置によれば、ユーザは、デジタル表現の文書を印刷媒体上に印刷することによって、文書の物理的表現が得られる。印刷装置は、インクその他の印刷可能材料を印刷媒体上に噴射し、画像を形成するために使用される複数のプリントヘッド・ダイを含む。プリントヘッド・ダイは、プリントヘッド・ダイ内の複数のノズル噴射ヒーターを使用して、インク滴を印刷媒体上に堆積させる。さらに、ノズル噴射ヒーターは、種々の駆動パルスに基づいてインクを沸騰させ、噴射することができる。
【図面の簡単な説明】
【０００２】
添付の図面は、本明細書に記載される原理の種々の例を示すものであり、明細書の一部である。図示される例は、単なる例として提供され、特許請求の範囲を制限しない。
【０００３】
【図１Ａ】本明細書に記載される種々の原理の一例による、遅延回路を含む印刷装置を示す図である。
【図１Ｂ】本明細書に記載される種々の原理の他の例による、遅延回路を含む印刷装置を示す図である。
【図１Ｃ】本明細書に記載される種々の原理の一例による、図１Ａ、及び図１Ｂの遅延回路を含むワイドアレイ・プリントヘッド・モジュールを示す図である。
【図２】本明細書に記載される種々の原理の一例による、ワイドアレイ・プリントヘッド・モジュールの最大電力需要を低減する方法を示すフロー図である。
【図３Ａ】本明細書に記載される種々の原理の一例による、複数のノズルに関連する複数のプリミティブを示す図である。
【図３Ｂ】本明細書に記載される種々の原理の一例による、図１Ａから図１Ｃまでの遅延回路により提供される有効遅延無しに、４個のプリミティブから噴射を行うためのタイミング図である。
【図４Ａ】本明細書に記載される種々の原理の一例による、種々の内部遅延要素を備えた複数のノズルに関連する複数のプリミティブを示す図である。
【図４Ｂ】本明細書に記載される種々の原理の一例による、種々の有効内部遅延要素を備えた４個のプリミティブから噴射を行うためのタイミング図である。
【図５Ａ】本明細書に記載される種々の原理の一例による、内部遅延要素、及び外部遅延要素を備えた複数のプリントヘッド・ダイを示す図である。
【図５Ｂ】本明細書に記載される種々の原理の一例による、有効な内部遅延要素、及び外部遅延要素を備えた４個のプリントヘッド・ダイから噴射を行うためのタイミング図である。
【図６Ａ】本明細書に記載される種々の原理の一例による、特定用途向け集積回路（ＡＳＩＣ）により制御される複数のプリントヘッド・ダイを示す図である。
【図６Ｂ】本明細書に記載される種々の原理の一例による、０．３３マイクロ秒（μＳ）の遅延に基づいて複数のプリントヘッド・ダイを制御し、プリントヘッド・ダイの最大電力需要を低減するためのタイミング図である。
【図６Ｃ】本明細書に記載される種々の原理の一例による、０．５μＳの遅延に基づいて複数のプリントヘッド・ダイを制御し、プリントヘッド・ダイの最大電力需要を低減するための波形を示す図である。
【図６Ｄ】本明細書に記載される種々の原理の一例による、０．６５μＳの遅延に基づいて複数のプリントヘッド・ダイを制御し、プリントヘッド・ダイの最大電力需要を低減するための波形を示す図である。
【図７】本明細書に記載される種々の原理の他の例による、ワイドアレイ・プリントヘッド・モジュールの最大電力需要を低減する方法を示すフロー図である。
【０００４】
全図面を通じて、同一の参照符号は、類似しているが、必ずしも同一ではない要素を指している。
【発明を実施するための形態】
【０００５】
詳細な説明
上述のように、プリントヘッド・ダイは、プリントヘッド・ダイ内の複数のノズル噴射ヒーターを使用し、インク滴をノズルを介して印刷媒体上に堆積させる。さらに、ノズル噴射ヒーターは、種々の駆動パルスに基づいてインクを沸騰させ、噴射することができる。プリントヘッド・ダイは、印刷媒体上にインクを噴射するための数千個ものノズルを含む場合がある。多くの場合、駆動パルスはノズル噴射ヒーターによって受信され、プリントヘッド・ダイに関連する全ノズルから同時に、または、ほぼ同時にインクを噴射させる。全てのノズルから同時にインクを噴射することは、プリントヘッド・ダイの電源ライン上の同時過渡電流、及びリンギングを増加させる。
【０００６】
本明細書に記載される種々の例によれば、ワイドアレイ・プリントヘッド・モジュールが得られる。ワイドアレイ・プリントヘッド・モジュールは、複数のプリントヘッド・ダイを含み、プリントヘッド・ダイの各々は、印刷媒体上にインクを噴射するための複数のノズルを含む。複数のノズルは、複数のプリミティブを形成している。ノズルの各々に、ノズル噴射ヒーターが結合されている。特定用途向け集積回路（ＡＳＩＣ）を使用して、プリミティブに関連するノズルの各々についてノズル噴射ヒーターを駆動する複数の駆動パルスが制御される。駆動パルスは、内部遅延、及び外部遅延により、プリミティブの各々の間において遅延され、プリントヘッド・ダイの最大電力需要を低減する。ＡＳＩＣは、各プリントヘッド・ダイ内の内部遅延を較正する。このようなワイドアレイ・プリントヘッド・モジュールによれば、電源ライン上の同時過渡電流、及びリンギングを最小限に抑えることができる。その結果、プリントヘッド・ダイの最大電力需要が低減される。
【０００７】
本明細書、及び添付の特許請求の範囲において使用される「プリミティブ」という語は、プリントヘッド・ダイの中の一群のノズルを意味するものとして、広く解釈されるべきである。一例において、プリミティブは、８個のノズルを含む場合がある。他の例において、プリミティブは、１６個のノズルを含む場合がある。さらに、プリントヘッド・ダイは、複数のプリミティブを含む場合がある。
【０００８】
本明細書、及び添付の特許請求の範囲において使用される「駆動パルス」という語は、ノズル噴射ヒーターに送信され、ノズルからインクを噴射できるようにノズル噴射ヒーターを駆動する信号を意味するものとして、広く解釈されるべきである。一例において、駆動パルスは、電圧によって定義される単一のパルスである場合がある。他の例において、駆動パルスは、複数の前駆パルス、及び複数の駆動パルスを含む。前駆パルスは、ノズル噴射ヒーターを駆動してインクを温め、駆動パルスは、ノズル噴射ヒーターを駆動してインクを沸騰させる。さらに別の例において、駆動パルスは、複数の駆動パルスを含むパルス列を含み、駆動パルスの合計によって総駆動エネルギーが形成される。さらに、駆動パルス時間が、時間の長さによって定義される。駆動パルスの時間的長さは、ノズルの数、プリミティブの数、印刷要求、またはそれらの組み合わせに基づいている。
【０００９】
本明細書、及び添付の特許請求の範囲において使用される「遅延」という語は、次の駆動パルスが生成される際の、第１の駆動パルスに対する時間間隔を意味するものとして、広く解釈されるべきである。一例において、遅延は、内部遅延である場合もあれば、外部遅延である場合もある。内部遅延は、プリントヘッド・ダイのアナログ要素またはデジタル要素によって制御され、外部遅延は、ＡＳＩＣによってデジタル制御される。さらに、外部遅延は、複数のプリントヘッド・ダイ間におけるインクの噴射間の遅延として定義される。
【００１０】
さらに、本明細書、及び添付の特許請求の範囲において使用される「複数の」またはそれに類似する語は、１から無限大までを含む任意の正の数を意味するものとして、広く解釈されるべきである。ゼロは、数ではなく、数の不在を意味している。
【００１１】
下記の説明では、本発明のシステム、及び方法を完全に理解してもらうために、例示の目的で、多数の具体的詳細について説明をする。ただし、当業者には明らかであるように、本発明の装置、システム、及び方法は、それらの具体的詳細なしに実施される場合もある。本明細書において「一例」またはそれに類する語は、その例に関係して説明された特定の特徴、構造、または性質が、説明されたように含まれるが、例によってはそれらが含まれない場合もあることを意味している。
【００１２】
図１Ａは、本明細書に記載される種々の原理の一例による、遅延回路（１１２）を含む印刷装置（１００）を示す図である。印刷装置（１００）は、複数のワイドアレイ・プリントヘッド・モジュール（１１０）を含む。図１Ａには一つのワイドアレイ・プリントヘッド・モジュール（１１０）が示されているが、印刷装置（１００）の中には、任意数のワイドアレイ・プリントヘッド・モジュール（１１０）が含まれる場合がある。
【００１３】
ワイドアレイ・プリントヘッド・モジュール（１１０）はそれぞれ、複数のプリントヘッド・ダイ（１１１）、及び特定用途向け集積回路（ＡＳＩＣ）（１５０）を含む。図１Ａには一つのプリントヘッド・ダイ（１１１）が示されているが、ワイドアレイ・プリントヘッド・モジュール（１１０）の各々の中には、複数のプリントヘッド・ダイ（１１１）を含む任意数のプリントヘッド・ダイ（１１１）が含まれる場合がある。
【００１４】
遅延回路（１１２）を備えたＡＳＩＣ（１５０）は、各プリントヘッド・ダイ（１１１）内の複数の内部遅延を較正するとともに、ＡＳＩＣ（１５０）から送信される複数の駆動パルス（１１７）を制御する。駆動パルス（１１７）は、プリントヘッド・ダイ（１１１）内の複数のノズル（１１６）の各々について複数のノズル噴射ヒーター（１１４）を駆動する。ノズル（１１６）は、複数のプリミティブ（１１５）に関連している。図１Ａには一つのプリミティブ（１１５）が示されているが、プリントヘッド・ダイ（１１１）の各々の中には、任意数のプリミティブ（１１５）が含まれる場合がある。プリミティブ（１１５）は、単一のプリントヘッド・ダイ（１１１）内の種々のノズル群として定義される。駆動パルス（１１７）は、内部遅延、及び複数の外部遅延によって、プリミティブ（１１５）の各々の間において遅延され、プリントヘッド・ダイ（１１１）の最大電力需要を低減するとともに、電源ライン上の同時過渡電流、及びリンギングを最小限に抑える。
【００１５】
図１Ｂは、本明細書に記載される種々の原理の他の例による、遅延回路（１１２）を含む印刷装置（１００）を示す図である。印刷装置（１００）は、電子機器の形で実施される場合がある。印刷装置（１００）は、スタンドアロンのハードウェア、モジュール・アプリケーション、コンピューティング・ネットワークを介して、またはそれらの組み合わせを含む任意のデータ処理状況において使用される場合がある。さらに、印刷装置（１００）は、コンピューティング・ネットワーク、公衆クラウド・ネットワーク、私設クラウド・ネットワーク、ハイブリッド・クラウド・ネットワーク、他の形態のネットワーク、またはそれらの組み合わせにおいて使用される場合がある。
【００１６】
印刷装置（１００）は、その望ましい機能を実現するために、種々のハードウェア構成要素を含む。とりわけ、こうしたハードウェア構成要素の例としては、複数のプロセッサ（１０１）、複数のデータ記憶装置（１０２）、複数の周辺機器アダプタ（１０３）、及び複数のネットワーク・アダプタ（１０４）が挙げられる。これらのハードウェア構成要素は、複数のバス、及び／またはネットワーク接続の使用により相互接続される場合がある。一例において、プロセッサ（１０１）、データ記憶装置（１０２）、周辺機器アダプタ（１０３）、及びネットワーク・アダプタ（１０４）は、バス（１０５）を介して通信可能に結合される場合がある。
【００１７】
プロセッサ（１０１）は、データ記憶装置（１０２）から実行可能コードを読み出し、当該実行可能コードを実行するハードウェア・アーキテクチャを含む場合がある。実行可能コードは、プロセッサ（１０１）によって実行されたときに、プロセッサ（１０１）に、少なくとも、第１の駆動パルスを生成する前にプリントヘッド・ダイの第１のプリミティブ遅延を決定し、プリントヘッド・ダイのプリミティブについて第１の駆動パルスを生成する機能を実施させる。プリミティブは、プリントヘッド・ダイの中に画定された複数のノズルに関連している。実行可能コードはプロセッサ（１０１）に、少なくとも、第１の駆動パルスにより、プリミティブ遅延に基づいて、プリミティブに関連するノズルの各々に結合された複数のノズル噴射ヒーターを駆動し、次の駆動パルスを生成する前に後続のプリミティブ遅延を決定する機能を、さらに実施させる場合がある。実行可能コードは、プロセッサ（１０１）に、少なくとも、後続のプリミティブ遅延に基づいて、プリントヘッド・ダイの次のプリミティブについて次の駆動パルスを生成する機能を、さらに実施させる場合がある。実行可能コードは、プロセッサ（１０１）に、本明細書に記載された本明細書の種々の方法にしたがってその機能を実施させる。コードを実行している最中に、プロセッサ（１０１）は、複数の残りのハードウェア・ユニットから入力を受け取ったり、複数の残りのハードウェア・ユニットに出力を提供したりする場合がある。
【００１８】
データ記憶装置（１０２）は、プロセッサ（１０１）その他の処理装置により実行される実行可能プログラムコードのようなデータを記憶している場合がある。後で説明されるように、データ記憶装置（１０２）は、具体的には、少なくとも本明細書に記載される機能を実施ためにプロセッサ（１０１）により実行される複数のアプリケーションを表すコンピュータ・コードを記憶している場合がある。
【００１９】
データ記憶装置（１０２）は、揮発性メモリ、及び不揮発性メモリを含む様々なタイプのメモリ・モジュールを含む場合がある。例えば、本例のデータ記憶装置（１０２）は、ランダム・アクセス・メモリ（ＲＡＭ）（１０６）、及びリード・オンリー・メモリ（ＲＯＭ）（１０７）を含む。多くの他のタイプのメモリもまた使用されることができ、本明細書は、本明細書に記載される種々の原理の特定の応用形態に適合する限り、データ記憶装置（１０２）における多数の様々なタイプ（複数可能）のメモリの使用を想定している。特定の例としては、異なるデータ記憶の必要性のために、異なるタイプのメモリがデータ記憶装置（１０２）において使用される場合がある。例えば、特定の例として、プロセッサ（１０１）は、リード・オンリー・メモリ（ＲＯＭ）（１０７）からブートをする場合があり、ランダム・アクセス・メモリ（ＲＡＭ）（１０６）に記憶されたプログラム・コードを実行する場合がある。
【００２０】
データ記憶装置（１０２）は、とりわけ、コンピュータ読み取り可能媒体、コンピュータ読み取り可能記憶媒体、または非一時的コンピュータ読み取り可能媒体を含み得る。例えば、データ記憶装置（１０２）は、限定はしないが、電気的、磁気的、光学的、電磁気的、赤外線、または半導体のシステム、器具、または装置、あるいは前記の任意の適当な組み合わせである場合がある。コンピュータ読み取り可能記憶媒体のさらに具体的例としては、例えば、次のものが挙げられる：複数のワイヤーを有する電気的接続、ポータブルコンピュータのフロッピー（登録商標）ディスク、ハードディスク、ランダム・アクセス・メモリ（ＲＡＭ）、リード・オンリー・メモリ（ＲＯＭ）、消去可能なプログラマブル・リード・オンリー・メモリ（ＥＰＲＯＭまたはフラッシュ・メモリ）、ポータブル・コンパクト・ディスク・リード・オンリー・メモリ（ＣＤ−ＲＯＭ）、光学記憶装置、磁気記憶装置、または前記の任意の適当な組み合わせ。本文書の文脈において、コンピュータ読み取り可能記憶媒体は、命令実行システム、器具、または装置によって使用されるコンピュータ使用可能プログラムコード、またはそれらに関係するコンピュータ使用可能プログラムコードを格納し、または記憶することができる如何なる有形の媒体であってもよい。他の例において、コンピュータ読み取り可能記憶媒体は、命令実行システム、器具、または装置によって使用されるプログラム、またはそれらに関係するプログラムを格納し、または記憶することができる如何なる非一時的媒体であってもよい。
【００２１】
印刷装置（１００）におけるハードウェア・アダプタ（１０３）によれば、プロセッサ（１０１）を印刷装置（１００）の内外にある様々なハードウェア要素と接続することが可能になる。例えば、周辺機器アダプタ（１０３）によれば、例えば、ユーザ・インタフェース、マウス、またはキーボードのような入出力デバイスに対するインタフェースが得られる。周辺機器アダプタ（１０３）によれば、外部記憶装置、例えばサーバ、スイッチ、及びルータのような複数のネットワーク・デバイス、クライアント・デバイス、他のタイプのコンピューティング・デバイス、及びそれらの組み合わせのような、種々の他の外部装置に対するアクセスがさらに可能になる場合がある。
【００２２】
周辺機器アダプタ（１０３）は、プロセッサ（１０１）と、ユーザ・インタフェース、他の印刷装置、または他の媒体出力装置との間のインタフェースをさらに形成する場合がある。ネットワーク・アダプタ（１０４）によれば、例えばネットワーク内の他のコンピューティング・デバイスに対するインタフェースが得られる場合があり、それによって、印刷装置（１００）と、ネットワーク内にある他の装置との間におけるデータの伝送が可能になる場合がある。
【００２３】
印刷装置（１００）は、プロセッサ（１０１）によって実行されたときに、データ記憶装置（１０２）に記憶されている複数のアプリケーションを表す実行可能プログラムコードに関連する複数のグラフィカル・ユーザ・インタフェース（ＧＵＩ）を、ユーザ・インタフェース上に表示する場合がある。ＧＵＩは、例えば、複数のユーザ対話型印刷オプションを表示する場合がある。
【００２４】
印刷装置（１００）は、印刷媒体上にインクを噴射するために使用される複数のプリントヘッド（１１０）をさらに含む。一例において、プリントヘッドは、ワイドアレイ・プリントヘッド・モジュールである。図１Ｂには一つのプリントヘッド（１１０）が示されているが、印刷装置（１００）の中には、任意数のプリントヘッドが存在する場合がある。プリントヘッド（１１０）は、コンピューティング・デバイスから送信されたプリントジョブ内に格納された種々の命令に基づいて動作する。プリントジョブは、例えば文書を印刷するための、種々の命令を含んでいる。プロセッサ（１０１）は、プリントジョブを解釈し、プリントヘッド（１１０）に、プリントジョブの中に表された文書が印刷媒体上に表現されるようにインクを印刷媒体上に噴射させる。
【００２５】
複数のプリントヘッド（１１０）の各々は、複数のプリントヘッド・ダイ（１１１）を含む。プリントヘッド・ダイ（１１１）は、半導体材料のブロックから作成され、その上に、本明細書に記載される種々の機能的回路が形成される場合がある。一例において、プリントヘッド・ダイ（１１１）は、フォトリソグラフィのような処理により、電子水準シリコン（EGS: Electronic-Grade Silicon）その他の半導体のウェーハ上に形成される。図１Ｂのプリントヘッド（１１０）の中には一つのプリントヘッド・ダイ（１１１）が示されているが、任意数のプリントヘッド・ダイ（１１１）が、印刷装置（１００）の種々のプリントヘッド（１１０）の中に存在する場合もある。
【００２６】
印刷装置（１００）は、プリントヘッド（１１０）の各々のプリントヘッド・ダイ（１１１）の中に形成された遅延回路（１１２）をさらに含む。遅延回路（１１２）は、内部遅延を使用して個々のプリントヘッド・ダイ（１１１）内のプリミティブ間に生成される噴射の遅延、及び外部遅延を使用して異なるプリントヘッド（１１０）間に生成される噴射の遅延により、印刷装置（１００）におけるプリントヘッド・ダイの最大電力需要の制御、及び低減を補助することができる。
【００２７】
遅延回路（１１２）は、第１の駆動パルスを生成する前にプリントヘッド・ダイの第１のプリミティブ遅延を決定し、プリントヘッド・ダイのプリミティブについて第１の駆動パルスを生成することによって、ＡＳＩＣ（１５０）、及びプロセッサ（１０１）をさらに補助する。プリミティブは、プリントヘッド・ダイの中に画定された複数のノズルに関連している。遅延回路（１１２）はさらに、第１の駆動パルスにより、プリミティブ遅延に基づいて、プリミティブに関連するノズルの各々に結合された複数のノズル噴射ヒーターを駆動し、次の駆動パルスを生成する前に後続のプリミティブ遅延を決定する。さらに、遅延回路（１１２）は、後続のプリミティブ遅延に基づいて、プリントヘッド・ダイの次のプリミティブについて次の駆動パルスを生成する。遅延回路（１１２）は、本明細書に記載された本明細書の種々の方法にしたがって、ＡＳＩＣ（１５０）、及びプロセッサ（１０１）を補助する。本システム、及び方法の機能が無ければ、プリントヘッド・ダイ（１１１）の最大電力需要の低減は実現されないであろうし、電源ライン上の同時過渡電流、及びリンギングも低減されないであろう。
【００２８】
印刷装置（１００）は、本明細書に記載されたシステム、及び方法の実施の際、及び、文書を印刷する際に使用される複数のモジュールをさらに含む。印刷装置（１００）内の種々のモジュールは、個別に実行されることができる実行可能プログラムコードを含む。この例において、種々のモジュールは、個別のコンピュータ・プログラム製品として記憶される場合がある。別の例では、印刷装置（１００）内の種々のモジュールは、複数のコンピュータ・プログラム製品と組み合わされ、各コンピュータ・プログラム製品が、複数のモジュールを含む場合がある。印刷装置（１００）は、プロセッサ（１０１）により実行されたときにＡＳＩＣを制御し、本明細書に記載されるように、個々のプリントヘッド・ダイ（１１１）内のプリミティブの噴射間に遅延を生成するとともに、異なるプリントヘッド（１１０）の噴射間に遅延を生成する遅延モジュール（１１３）を含む場合がある。
【００２９】
図１Ｃは、本明細書に記載される種々の原理の一例による、ワイドアレイ・プリントヘッド・モジュールを示す図である。以下で説明されるように、ワイドアレイ・プリントヘッド・モジュールは、基板上に集積された複数のプリントヘッド・ダイを含む場合がある。さらに、プリントヘッド・ダイの各々は、ＡＳＩＣ、及び遅延回路により生成された駆動パルスに基づいてインクを噴射するための複数のノズルを含む場合がある。
【００３０】
ワイドアレイ・プリントヘッド・モジュール（１００）は、基板（１４０）と、データ、及び電力の伝送を可能にする複数の接続（１２０）を含む。一例において、ワイドアレイ・プリントヘッド・モジュール（１００）は、複数のプリントヘッド・ダイ（１６０）を含む。図１Ｃにおいて、これらのプリントヘッド・ダイ（１６０）は、３色のインク、及びブラックインクを使用するフルカラー印刷が可能となるように、４個の群に編成されている。これらの群は、プリントヘッド・ダイ（１６０）上の噴射列間の重なり合いを許容する形で、互い違いに配置されている。
【００３１】
一部の例において、特定のインクを使用するプリントヘッド・ダイ（１６０）は、他のインクを使用するプリントヘッド・ダイの幾何学形状とは異なる幾何学形状を生成するために、特定の製造プロセスにおいて異なる層厚を使用して最適に設計される場合がある。例えば、ブラック、及びカラーのインクを使用する場合、大きな液滴重量を有するブラックインクは、高い高さの噴射室をダイ上に有するのに対し、小さな液滴重量を有するカラーインクは、低い高さの噴射室をダイ上に有する場合がある。その場合でも、これらのカラーインクのプリントヘッド・ダイ（１６０）は、大きな液滴重量を有するブラックのプリントヘッド・ダイに比べて薄いポリマーの層をカラーインクのプリントヘッド・ダイの製造プロセスに使用して、一つのダイ上に同様に作成される場合がある。一部の例において、プリントヘッド・ダイ（１６０）は、印刷表面を前後に走査する必要なくページ幅全体を印刷できるように設計される。
【００３２】
さらに、ワイドアレイ・プリントヘッド・モジュール（１００）は、ＡＳＩＣ（１５０）を含む。ＡＳＩＣ（１５０）は、印刷装置上に、プリントヘッド・ダイの群間の隙間に配置される場合がある。基板（１４０）上にＡＳＩＣを設けることで、プリントヘッド・ダイ（１６０）とプリンターとの間におけるデータ通信路の数を減らすことができる場合がある。以下で説明されるように、ＡＳＩＣ（１５０）は、各プリントヘッド・ダイ（１６０）のノズルに関連するノズル噴射ヒーターを駆動する駆動パルスを制御する。
【００３３】
一部の例において、ＡＳＩＣ（１５０）は、遅延回路（１１２）を使用して時間的に遅延された駆動パルスを生成することで、単一のプリントヘッド・ダイ（１６０）から引き出される最大電圧パワーを低減する。一部の例において、ＡＳＩＣ（１５０）は、時間的に遅延された駆動パルスを生成することで、ワイドアレイ・プリントヘッド（１００）から全体として引き出される最大電圧パワーを低減する。その結果、通常ならば大きな電流を生成できなければならないであろうプリンターの種々の物理的構成要素のコストを低減することができる。
【００３４】
一部の例において、ＡＳＩＣ（１５０）は、図１Ｃに示されるように配置された単一のデバイスである。他の例において、ＡＳＩＣ（１５０）は、プリントヘッド・ダイ（１６０）のノズルの動作を制御、及び調整するための、基板（１４０）に取り付けられた複数のデバイスである。この例では、これらのデバイスは、プリントヘッド・ダイ（１６０）の群間の隙間に配置される。
【００３５】
一部の例において、ワイドアレイ・プリントヘッド（１００）は、ワイドアレイ・プリントヘッド（１００）上に配置されたさらに別のメモリ、または専用の熱制御装置を有する。ＡＳＩＣ、及び駆動パルスに関する詳しい情報については、本明細書の他の部分において説明される。
【００３６】
図２は、本明細書に記載される種々の原理の一例による、ワイドアレイ・プリントヘッド・モジュールの最大電力需要を低減する方法を示すフロー図である。一例において、方法（２００）は、図１ＣのＡＳＩＣにより実行される場合がある。他の例において、方法（２００）は、他のシステム、及び／またはデバイスにより実行される場合がある。方法（２００）は、第１の駆動パルスを生成する前にプリントヘッド・ダイの第１のプリミティブ遅延を決定し（２０１）、プリントヘッド・ダイのプリミティブについて第１の駆動パルスを生成すること（２０２）を含み、プリミティブは、プリントヘッド・ダイの中に画定された複数のノズルに関連している。本方法は、第１の駆動パルスにより、第１のプリミティブ遅延に基づいて、プリミティブに関連するノズルの各々に結合された複数のノズル噴射ヒーターを駆動し（２０３）、次の駆動パルスを生成する前に後続のプリミティブ遅延を決定すること（２０４）をさらに含む。次いで、本方法は、後続のプリミティブ遅延に基づいて、プリントヘッド・ダイの次のプリミティブについて次の駆動パルスを生成する（２０５）場合がある。
【００３７】
上述のように、方法（２００）は、第１の駆動パルスを生成する前にプリントヘッド・ダイの第１のプリミティブ遅延を決定すること（２０１）を含む。一例において、プリントヘッド・ダイの第１のプリミティブ遅延は、プリントジョブが駆動された時から第１のプリントヘッド・ダイが第１の駆動パルスを受信するまでの遅延である場合がある。他の例においては、ＡＳＩＣが、第１の駆動パルスを生成する前にプリントヘッド・ダイの第１のプリミティブ・遅延を決定する場合がある。
【００３８】
上述のように、方法（２００）は、プリントヘッド・ダイのプリミティブについて第１の駆動パルスを生成すること（２０２）を含み、プリミティブは、プリントヘッド・ダイの中に画定された複数のノズルに関連している。第１の駆動パルスは、ＡＳＩＣ（図１Ｃ、１５０）からプリントヘッド・ダイ（図１Ｃ、１６０）のプリミティブに関連するノズル噴射ヒーターへ送信される信号であって、ノズルからインクを噴射することができるようにプリミティブのノズル噴射ヒーターを駆動する信号である場合がある。一例において、第１の駆動パルスは、電圧によって定義される単一のパルスである場合がある。他の例において、第１の駆動パルスは、複数の前駆パルス、及び複数の駆動パルスを含む。前駆パルスは、ノズル噴射ヒーターを駆動してインクを温め、駆動パルスは、ノズル噴射ヒーターを駆動してインクを沸騰させる。さらに別の例において、第１の駆動パルスは、複数の駆動パルスを含むパルス列を含み、駆動パルスの合計によって総駆動エネルギーが形成される。さらに、第１の駆動パルス期間が、時間の長さによって定義される。第１の駆動パルスの長さは、ノズルの数、プリミティブの数、印刷要求、またはそれらの組み合わせに基づいている。一部の例においては、ＡＳＩＣ（図１Ｃ、１５０）が、プリントヘッド・ダイ（図１Ｃ、１６０）のプリミティブについて第１の駆動パルスを生成する場合がある。
【００３９】
上述のように、方法（２００）は、第１の駆動パルスにより、第１のプリミティブ遅延に基づいて、プリミティブに関連するノズルの各々に結合された複数のノズル噴射ヒーターを駆動すること（２０３）を含む。一例において、ノズルは、一行のプリミティブを成すように配置される場合がある。さらに、ノズルの各々は、ノズル噴射ヒーターを含む。ノズル噴射ヒーターの各々が第１の駆動パルスを受信すると、ノズル噴射ヒーターは、駆動パルスに基づいてインクを沸騰させ、噴射することができる。したがって、もしプリントヘッド・ダイが例えば３個のプリミティブを含む場合、第１の駆動パルスは、ノズル噴射ヒーターにより、第１のプリミティブの第１のノズルを駆動する。次に、第１の駆動パルスは、ノズル噴射ヒータにより、第２のプリミティブの第１のノズルを駆動する。さらに、第１の駆動パルスは、ノズル噴射ヒーターにより、第３のプリミティブの第１のノズルを駆動する。このように、駆動パルスは、各プリミティブに伝播し、各プリミティブにおける第１のノズルを駆動する。駆動パルスは、第１のノズルの各々についてのアドレスに基づいて、各プリミティブにおける第１のノズルを駆動する場合がある。
【００４０】
上述のように、方法（２００）は、次の駆動パルスを生成する前に後続のプリミティブ遅延を決定すること（２０４）を含む。一例において、後続のプリミティブ遅延は、次の駆動パルスが送信される際の、第１の駆動パルスに対する時間間隔である場合がある。一例において、後続のプリミティブ遅延は、内部遅延または外部遅延に基づく場合がある。さらに、内部遅延は、プリントヘッド・ダイのアナログ要素またはデジタル要素によって制御され、外部遅延は、ＡＳＩＣ（図１Ｃ、１５０）によってデジタル制御される。さらに、外部遅延は、複数のプリントヘッド・ダイ（図１Ｃ、１６０）間におけるインクの噴射間の遅延として定義される。
【００４１】
上述のように、方法（２００）は、次のプリミティブ遅延に基づいて、プリントヘッド・ダイ（図１Ｃ、１６０）の次のプリミティブについて次の駆動パルスを生成すること（２０５）を含む。以下で説明されるように、次の駆動パルスについての後続のプリミティブ遅延は、電源ライン上の同時過渡電流を最小限に抑え、及びリンギングを最小限に抑えることによって、当該遅延によりプリントヘッド・ダイの最大電力需要が低減されるような形で、時間的に歪められる。さらに、次の駆動パルスは、上記のように、プリントヘッド・ダイの次のプリミティブに関連するノズルからインクを噴射させる。さらに、次の駆動パルスは、プリミティブの第２のノズルを駆動した後、各プリミティブに伝播し、各プリミティブにおける第２のノズルを駆動する。次の駆動パルスは、第２のノズルの各々についてのアドレスに基づいて、各プリミティブにおける第２のノズルを駆動する場合がある。その後、後続の駆動パルスが続き、各プリミティブにおける最後のノズルが駆動されたときに、各プリミティブの第１のノズルから次の駆動パルスが再び開始される。
【００４２】
本明細書の他の部分に記載されるように、方法（２００）は、プリントヘッド・ダイ（図１Ｃ、１６０）の全てのプリミティブについて繰り返される。さらに、方法（２００）は、ワイドアレイ・プリントヘッド・モジュールに関連する全てのプリントヘッド・ダイについて繰り返される。
【００４３】
図３Ａは、本明細書に記載される種々の原理の一例による、複数のノズルに関連する複数のプリミティブ（３０２）を示す図である。以下で説明されるように、プリントヘッド・ダイ（図１Ｃ、１６０）は、複数のノズルを含む場合がある。さらに、複数のプリミティブ（３０２）を形成するために、ノズルは、種々の群に編成される場合がある。プリミティブの各々が駆動パルスを受信すると、ノズル噴射ヒーターが駆動される。ノズル噴射ヒーターの駆動は、インクを沸騰させ、プリミティブに関連するノズルから、インクを印刷媒体上に噴射させる。
【００４４】
図３Ａに示されるように、プリントヘッド・ダイ（３００）は、複数のプリミティブ（３０２）を含む。一例において、プリントヘッド・ダイ（３００）は、第１のプリミティブ（３０２−１）、第２のプリミティブ（３０２−２）、第３のプリミティブ（３０２−３）、及び第４のプリミティブ（３０２−４）を含む。ただし、プリントヘッド・ダイの中には任意数のプリミティブが含まれる場合があり、本明細書に記載される態様で使用される場合がある。
【００４５】
上述のようにに、プリミティブは、一群のノズルとして定義される。図示のように、プリミティブ（３０２）の各々は、８個のノズルを含む。例えば、第１のプリミティブ（３０２−１）は、第１の一組の８個のノズル（３０４）を含む。第２のプリミティブ（３０２−２）は、第２の一組の８個のノズル（３０６）を含む。第３のプリミティブ（３０２−３）は、第３の一組の８個のノズル（３０８）を含む。第４のプリミティブ（３０２−４）は、第４の一組の８個のノズル（３１０）を含む。
【００４６】
図３Ｂにおいて説明されるように、駆動パルスは、バス（３１２）を介して、プリミティブ（３０２）の各々に送信される場合がある。駆動パルスは、各プリミティブ（３０２）について各組のノズル（３０４、３０６、３０８、３１０）に関連するノズル噴射ヒーターの各々を、プリントヘッド・ダイ（３００）の最大電力需要が低減されるような形で駆動する。ＡＳＩＣ（１５０）の遅延回路（１１２）は、バス（３１２）に結合され、プリミティブの駆動間におけるプリミティブ遅延を決定するとともに、複数のプリントヘッド・ダイ（１１１）の駆動間における遅延を決定する。上述のように、図３Ｂは、プリントヘッド・ダイ（１１１）が遅延回路（１１２）の機能を利用しない事例を、複数の印刷周期内における遅延回路（１１２）の使用と対比するために示している。
【００４７】
この例は、８個のノズルを含むプリミティブを参照して説明されたが、プリミティブは、もっと多数または少数のノズルを含む場合もある。例えば、各プリミティブは、４個のノズル、または１６個のノズルを含む場合がある。
【００４８】
図３Ｂは、本明細書に記載される種々の原理の一例による、図１Ａから図１Ｃまでの遅延回路により提供される有効遅延なしに、４個のプリミティブから噴射を行うときのタイミング図である。以下で説明されるように、駆動パルスは、図３Ａのプリミティブにおける複数のノズルの各々について複数のノズル噴射ヒーターを駆動する。さらに、駆動パルスは、プリントヘッド・ダイ（３００）の室内のインクがノズルから押し出され、印刷媒体の上に噴射されるまで、ノズル噴射ヒーターを加熱する。図３Ｂを図４Ｂと対比すると、図３Ｂは、遅延回路（１１２）により提供される有効遅延なしに４個のプリミティブから噴射を行うときのタイミング図を示しているのに対し、図４Ｂは、遅延回路（１１２）の利益がある状態における同タイミング図を示している。
【００４９】
図示のように、タイミング図（３５０）は、複数の時間間隔（３５６）を含む。時間間隔（３５６）は、タイミング図（３５６）の全体を通じて均等な間隔を有している場合がある。時間間隔の各々は、６５０ナノ秒（ｎＳ）を表している。例えば、時間間隔１（３５６−１）は、タイミング図（３５０）の開始を表し、時間間隔２（３５６−２）は、タイミング図の開始から６５０ｎＳ経過を表している。
【００５０】
さらに、時間間隔（３５６）は、印刷周期の決定に使用される場合がある。図示のように、タイミング図は、第１の印刷周期（３６０−１）を含む。第１の印刷周期（３６０−１）は、時間間隔１（３５６−１）から時間間隔５（３５６−５）までの時間として定義される場合がある。以下で説明されるように、第１の印刷周期（３６０−１）における種々の駆動パルス（３５２）は、各プリミティブ（３０２）における第１のノズルを駆動するために使用される。時間間隔５（３５６−５）の時点で、印刷周期は、第２の印刷周期（３６０−２）として繰り返される。以下で説明されるように、第２の印刷周期（３６０−２）における種々駆動パルスは、各プリミティブ（３０２）における第２のノズルを駆動するために使用される。さらに、後続の印刷周期において後続の駆動パルスが続き、各プリミティブにおける最後のノズルが駆動されたときに、各プリミティブの第１のノズルから次の駆動パルスが再び開始される。
【００５１】
以下で説明されるように、時間間隔（３５６）は、駆動パルス（３５２）の長さの決定に使用される場合がある。さらに、時間間隔（３５６）は、駆動パルス（３５２）の各々の間における遅延の決定に使用される場合がある。
【００５２】
図示のように、タイミング図は、複数の駆動パルス（３５２）を含む。上述のように、駆動パルスは、ＡＳＩＣ（図１Ｃ、１６０）からノズル噴射ヒーターへ送信され、ノズルからインクを噴射することができるように当該ノズル噴射ヒーターを駆動する電圧のような信号である。一例において、駆動パルスは、電圧によって定義される信号パルスである場合がある。他の例において、駆動パルスは、複数の前駆パルス、及び複数の駆動パルスを含む。前駆パルスは、ノズル噴射ヒーターを駆動してインクを温め、駆動パルスは、ノズル噴射ヒーターを駆動してインクを沸騰させる。さらに別の例において、駆動パルスは、複数の駆動パルスを含むパルス列を含み、駆動パルスの合計によって総駆動エネルギーが形成される。さらに、駆動パルスが、時間の長さによって定義される。駆動パルス期間の長さは、ノズルの数、プリミティブの数、印刷要求、またはそれらの組み合わせに基づいている。図示のように、駆動パルス（３５２）の長さは、時間間隔１（３５６−１）から開始され、時間間隔３（３５６−３）で終了する種々の時間間隔に関連している。一例において、その長さは、１．３マイクロ秒（μＳ）である場合がある。
【００５３】
図３Ｂに示されているように、第１の駆動パルス（３５２−１）は、第１のプリミティブ（３０２−１）の第１のノズルについて生成され、当該第１のノズルを第１の印刷周期（３６０−１）の間に駆動する。一例において、第１の駆動パルス（３５２−１）は、時間の長さに関連している。上述のように、第１の駆動パルス（３５２−１）の長さは、１．３μＳである。さらに、第１の駆動パルス（３５２−１）の長さは、図３Ａに示されるように、１つのプリミティブ当たり８個のノズル、１つのプリントヘッド・ダイ当たり４個のプリミティブ、印刷要求、またはそれらの組み合わせに基づいている。
【００５４】
上述のように、駆動パルス（３５２）は、内部遅延、及び複数の外部遅延により、プリミティブ（３０２）の各々の間において遅延され、プリントヘッド・ダイ（３００）の最大電力需要を低減する。図示のように、第２の駆動パルス（３５２−２）は、第２のプリミティブ（３０２−２）の第１のノズルについて生成され、当該第１のノズルを第１の印刷周期（３６０−１）の間に駆動する。第２の駆動パルス（３５２−２）は、第１の駆動パルス（３５２−１）から時間的に遅延されている。第３の駆動パルス（３５２−３）は、第３のプリミティブ（３０２−３）の第１のノズルについて生成され、当該第１のノズルを第１の印刷周期（３６０−１）の間に駆動する。第３の駆動パルス（３５２−３）は、第２の駆動パルス（３５２−２）から遅延されている。さらに、第４の駆動パルス（３５２−４）は、第４のプリミティブ（３０２−４）の第１のノズルについて生成され、当該第１のノズルを第１の印刷周期（３６０−１）の間に駆動する。第４の駆動パルス（３５２−４）は、第３の駆動パルス（３５２−３）から時間的に遅延されている。
【００５５】
さらに、第２の印刷周期（３６０−２）における種々の駆動パルス（３５２）を使用して、各プリミティブ（３０２）における第２のノズルが駆動される。図示していないが、第３、第４、第５、第６、第７、及び第８の印刷周期における種々の駆動パルスを使用して、各プリミティブ（３０２）における第３、第４、第５、第６、第７、及び第８のノズルがそれぞれ駆動される。第８の印刷周期が終わった後、次の印刷周期における次の駆動パルスを使用して、各プリミティブ（３０２）における第１のノズルが駆動される。このパターンが、後続の印刷周期についても繰り返される。
【００５６】
タイミング図（３５０）に示したように、駆動パルス（３５２）は、ダイ電力プロファイル（３５４）を形成する場合がある。ダイ電力プロファイル（３５４）は、駆動パルス（３５２）の各々によって生成される電流を定義している。図示のように、駆動パルスのうちの１つが有効である場合、ダイ電力プロファイル（３５４）は、電流に関して係数１が有効化されていることを示す。駆動パルス（３５２）のうちの２つが有効である場合、ダイ電力プロファイル（３５４）は、電流に関して係数２が有効化されていることを示す。駆動パルス（３５２）のうちの３個が有効である場合、電流に関して係数３が有効化されていることを示す。そして、駆動パルス（３５２）のうちの４個が有効である場合、ダイ電力プロファイル（３５４）は、電流に関して係数４が有効化されていることを示す。図示のように、ダイ電力プロファイル（３５４）は、第１の印刷周期（３６０−１）、及び第２の印刷周期（３６０−２）について形成される。
【００５７】
一例において、駆動パルス（３５２）の遅延を最小化した場合、ダイ電力プロファイル（３５４）の長さは、印刷周期の間に無駄な時間を含むものになる。この例では、第１の印刷周期（３６０−１）は、図３Ｂに示される実線によって定義されている。また、第２の印刷周期（３６０−２）は、図３Ｂに示される破線によって定義されている。タイミング図（３５０）は、最大電力需要の低減を示しているが、駆動パルス（３５２）に関連する遅延は、無効である。
【００５８】
図４Ａは、本明細書に記載される種々の原理の一例による、内部遅延要素を備えた複数のノズルに関連する複数のプリミティブの図である。上述のように、プリントヘッド・ダイは、複数のノズルを含む場合がある。また、ノズルは、複数のプリミティブを形成するように、種々の群に編成される場合がある。プリミティブの各々が駆動パルスを受信すると、ノズル噴射ヒーターが駆動される。ノズル噴射ヒーターの駆動は、インクを沸騰させ、プリミティブに関連するノズルから印刷媒体上へインクを噴射させる。
【００５９】
図４Ａに示されているように、プリントヘッド・ダイ（４００）は、複数のプリミティブ（４０２）を含む。一例において、プリントヘッド・ダイ（４００）は、第１のプリミティブ（４０２−１）、第２のプリミティブ（４０２−２）、第３のプリミティブ（４０２−３）、及び第４のプリミティブ（４０２−４）を含む。上記のように、ＡＳＩＣ（１５０）の遅延回路（１１２）は、バス（４１２）に結合され、プリミティブの駆動間におけるプリミティブ遅延を決定するとともに、複数のプリントヘッド・ダイ（１１１）の駆動間における遅延を決定する。
【００６０】
上述のように、プリミティブは、一群のノズルとして定義される。図示のように、プリミティブ（４０２）の各々は、８個のノズルを含む。例えば、第１のプリミティブ（４０２−１）は、第１の一組の８個のノズル（４０４）を含む。第２のプリミティブ（４０２−２）は、第２の一組の８個のノズル（４０６）を含む。第３のプリミティブ（４０２−３）は、第３の一組の８個のノズル（４０８）を含む。第４のプリミティブ（４０２−４）は、第４の一組の８個のノズル（４１０）を含む。図４Ｂにおいて説明されるように、駆動パルスは、バス（４１２）を介してプリミティブ（４０２）の各々に送信され、各組のノズル（４０４、４０６、４０８、４１０）におけるノズルの各々を、プリントヘッド・ダイの最大電力需要が低減されるような形で駆動することができる。
【００６１】
図示のように、プリントヘッド・ダイ（４００）は、遅延回路（１１２）に結合された複数の内部遅延（４１４）を含む。一例において、内部遅延（４１４）は、プリントヘッド・ダイ（４００）の種々のアナログ要素によって制御される。内部遅延（４１４）は、プリントヘッド・ダイの最大電力需要を低減するために、プリミティブ（４０２）の各々の間において駆動パルスを遅延させる。一例において、第１の内部遅延（４１４−１）は、第１のプリミティブ（４０２−１）と第２のプリミティブ（４０２−２）との間において第２の駆動パルスを遅延させる。第２の内部遅延（４１４−２）は、第２のプリミティブ（４０２−２）と第３のプリミティブ（４０２−３）との間において第３の駆動パルスを遅延させる。さらに、第３の内部遅延（４１４−３）は、第３のプリミティブ（４０２−３）と第４のプリミティブ（４０２−４）との間において第４の駆動パルスを遅延させる。図４Ｂにおいて説明されるように、内部遅延（４１４）は、プリントヘッド・ダイ（４００）の最大電力需要を低減する。なぜなら、３個または４個のプリミティブ（４０２）が同時に有効化される代わりに、２個のプリミティブが同時に有効化されるからである。
【００６２】
図４Ｂは、本明細書に記載される種々の原理の一例による、種々の有効内部遅延要素を備えた４個のプリミティブから噴射を行うためのタイミング図である。図４Ｂに示されているように、第１の駆動パルス（４５２−１）は、第１のプリミティブ（４０２−１）の第１のノズルについて生成され、当該第１のノズルを第１の印刷周期（４６０−１）の間に駆動する。一例において、第１の駆動パルス（４５２−１）は、長さに関連している。第１の駆動パルス（４５２−１）の長さは、時間間隔（４５６）によって定義されるように１．３μＳである場合がある。さらに、第１の駆動パルス（３５２−１）の長さは、図４Ａに示されるように、１つのプリミティブ当たり８個のノズル、１つのプリントヘッド・ダイ当たり４個のプリミティブ、印刷要求、またはそれらの組み合わせに基づいている。
【００６３】
上述のように、駆動パルス（４５２）は、内部遅延、及び複数の外部遅延により、プリミティブ（４０２）の各々の間において遅延され、プリントヘッド・ダイ（４００）の最大電力需要を低減する。図示のように、第２の駆動パルス（４５２−２）は、第２のプリミティブ（４０２−２）の第１のノズルについて生成され、当該第１のノズルを第１の印刷周期（４６０−１）の間に駆動する。第２の駆動パルス（４５２−２）は、第１の内部遅延（４１４−１）によって遅延されてる。第１の内部遅延（４１４−１）は、時間間隔（４５６）によって定義されるように、６５０ｎＳだけ第２の駆動パルス（４５２−２）を遅延させる。その結果、第２の駆動パルス（４５２−２）は、第１の駆動パルス（４５２−１）から時間的に遅延される。
【００６４】
図示のように、第３の駆動パルス（４５２−３）は、第３のプリミティブ（４０２−３）の第１のノズルについて生成され、当該第１のノズルを第１の印刷周期（４６０−１）の間に駆動する。第３の駆動パルス（４５２−３）は、第２の内部遅延（４１４−２）によって遅延されている。第２の内部遅延（４１４−１）は、時間間隔（４５６）によって定義されるように、６５０ｎＳだけ第３の駆動パルス（４５２−３）を遅延させる。その結果、第３の駆動パルス（４５２−３）は、第２の駆動パルス（４５２−２）から時間的に遅延される。
【００６５】
さらに、第４の駆動パルス（４５２−４）は、第４のプリミティブ（４０２−４）の第１のノズルについて生成され、当該第１のノズルを第１の印刷周期（４６０−１）の間に駆動する。第４の駆動パルス（４５２−４）は、第３の内部遅延（４１４−３）によって遅延されている。第３の内部遅延（４１４−３）は、時間間隔（４５６）によって定義されるように、６５０ｎＳだけ第４の駆動パルス（４５２−４）を遅延させる。その結果、第４の駆動パルス（４５２−４）は、第３の駆動パルス（４５２−３）から時間的に遅延される。
【００６６】
さらに、第２の印刷周期（３６０−２）における種々の駆動パルス（４５２）を使用して、各プリミティブ（４０２）における第２のノズルが駆動される。図示していないが、第３、第４、第５、第６、第７、及び第８の印刷周期における種々の駆動パルスを使用して、各プリミティブ（３０２）における第３、第４、第５、第６、第７、及び第８のノズルがそれぞれ駆動される。第８の印刷周期が終わった後、次の印刷周期における次の駆動パルスを使用して、各プリミティブ（４０２）における第１のノズルが駆動される。このパターンが、後続の印刷周期についても繰り返される。
【００６７】
図示のように、駆動パルス（４５２）は、ダイ電力プロファイル（４５４）を形成する場合がある。上述のように、ダイ電力プロファイル（４５４）は、駆動パルス（４５２）の各々によって生成される電流を定義している。駆動パルス（４５２）間の遅延が６５０μＳである場合、ダイ電力プロファイル（４５４）の長さは、印刷周期の間に無駄な時間を含まないものになる。この例では、第１の印刷周期（４６０−１）は、図４Ｂに示される実線によって定義されている。第２の印刷周期（４６０−２）は、図４Ｂに示される点線によって定義されている。さらに、第１の印刷周期（４６０−１）の終わり（４５８）が、点線によって定義されている。その結果、駆動パルス（４５２）に関連する遅延が有効になり、プリントヘッド・ダイの最大電力需要は低減される。したがって、図４Ａ、及び図４Ｂの例において、駆動パルス４５２−１は、時間間隔４５６−１と４５６−２の間において高であるが、他の駆動パルス４５２−２、４５２−３及び４５２−４の間において低である。駆動パルス４５２−１、及び４５２−２は両方とも、時間間隔４５６−２と４５６−３の間において高である。ただし、時間間隔４５６−３と４５６−４の間において、駆動パルス４５２−１は低になり、駆動パルス４５２−３は高になる。このように、任意の所与の時点において２つの駆動パルス（４５２）のみが高になる。その結果、プリントヘッド・ダイ（４００）の最大電力需要が低減される。
【００６８】
図５Ａは、本明細書に記載される種々の原理の一例による、内部遅延要素（図４、４１４）、及び外部遅延要素（５１４）を備えた複数のプリントヘッド・ダイ（５０２−１、５０２−２、５０２−３、５０２−４）を示す図である。上述のように、ワイドアレイ・プリントヘッド・モジュールは、まとめて５０２で示される複数のプリントヘッド・ダイを含む場合がある。プリントヘッド・ダイの各々が駆動パルスを受信すると、ノズル噴射ヒーターが駆動される。ノズル噴射ヒーターの駆動は、インクを沸騰させ、プリントヘッド・ダイ（５０２）に関連するノズルから、インクを印刷媒体上に噴射させる。
【００６９】
図５Ａに示されるように、ワイドアレイ・プリントヘッド・モジュール（５００）は、複数のプリントヘッド・ダイ（５０２）を含む。上述のように、プリントヘッド・ダイ（５０２）は、複数のプリミティブ（図４、４０２）を含み、プリミティブは、種々のノズル群として定義される。さらに、上記のように、プリントヘッド・ダイ（５０２）の各々は、複数の内部遅延を含む場合がある。
【００７０】
図５Ａに示されるように、ワイドアレイ・プリントヘッド・モジュール（５００）は、４個のプリントヘッド・ダイ（５０２）を含む。例えば、ワイドアレイ・プリントヘッド・モジュール（５００）は、プリントヘッド・ダイ１（５０２−１）、プリントヘッド・ダイ２（５０２−２）、プリントヘッド・ダイ３（５０２−３）、及びプリントヘッド・ダイ４（５０２−４）を含む。図示のように、複数の外部遅延（５１４）、及び遅延回路（１１２）は、プリントヘッド・ダイ（５０２）の各々の間において駆動パルスを遅延させ、ワイドアレイ・プリントヘッド・モジュール（５００）の最大電力需要を低減する。後の図面において説明されるように、外部遅延（５１４）は、ＡＳＩＣ（図１Ｃ、１５０）によってデジタル制御される。図示のように、第１の外部遅延（５１４−１）は、プリントヘッド・ダイ１（５０２−１）とプリントヘッド・ダイ２（５０２−２）の間に接続されている。第２の外部遅延（５１４−２）は、プリントヘッド・ダイ２（５０２−２）とプリントヘッド・ダイ３（５０２−３）の間に接続されている。さらに、第３の外部遅延（５１４−３）は、プリントヘッド・ダイ３（５０２−３）とプリントヘッド・ダイ４（５０２−４）の間に接続されている。
【００７１】
図５Ｂにおいて説明されるように、駆動パルスは、バス（５１２）を介してプリントヘッド・ダイ（５０２）の各々に送信され、プリミティブの各々を、ワイドアレイ・プリントヘッド・モジュール（５００）の最大電力需要が低減されるような形で駆動することができる。図４Ａ、及び図４Ｂに関連して上で説明したように、内部遅延信号を各プリントヘッド・ダイ（５０２）内の種々のプリミティブに送信することをに加え、外部遅延信号を複数のプリントヘッド・ダイ（５０２）に送信するために、遅延回路（１１２）がバス（５１２）に結合されている。このように、電源ライン上の同時過渡電流、及びリンギングを最小限に抑えるために内部遅延と外部遅延の両方がプリントヘッド・ダイ（５０２）及びそれらの個々のプリミティブに提供され、それによって、プリントヘッド・ダイ（５０２）の最大電力需要が低減される場合がある。
【００７２】
この例は、４個のプリントヘッド・ダイ（５０２）を含むワイドアレイ・プリントヘッド・モジュールを参照して説明されているが、ワイドアレイ・プリントヘッド・モジュールは、もっと多数または少数のプリントヘッド・ダイを含む場合もある。例えば、ワイドアレイ・プリントヘッド・モジュールは、４０個のプリントヘッド・ダイを含む場合がある。
【００７３】
図５Ｂは、本明細書に記載される種々の原理の一例による、有効な内部遅延要素、及び外部遅延要素を備えた４個のプリントヘッド・ダイ（５０２）から噴射を行うためのタイミング図（５５０）である。以下で説明されるように、駆動パルスは、図５Ａのプリントヘッド・ダイにおける複数のノズルの各々について、複数のノズル噴射ヒーターを駆動する。
【００７４】
図５Ｂに示されているように、第１の駆動パルス（５５２−１）は、第１のプリントヘッド・ダイ（図５Ａ、５０２−１）の種々のプリミティブについて生成され、上記のように、図５Ａのプリミティブに関連するノズルを駆動する。一例において、第１の駆動パルス（５５２−１）は、長さに関連している。第１の駆動パルス（５５２−１）の長さは、時間間隔（５５６）によって定義されるように１．３μＳである場合がある。さらに、第１の駆動パルス（５５２−１）の長さは、図５Ａに示されるように、１つのプリミティブ当たり８個のノズル、１つのプリントヘッド・ダイ当たり４個のプリミティブ、印刷要求、または、それらの組み合わせに基づいている。図示していないが、他の駆動パルスもまた、第１のプリントヘッド・ダイ（５０２−１）に関連するプリミティブについて生成される場合がある。さらに、他の駆動パルスは、上記のように内部遅延により、時間的に遅延される場合がある。図示のように、第１の駆動パルス（５５２−１）、並びに第１のプリントヘッド・ダイ（５０２−１）に関連する他の駆動パルスは、第１のダイ電力プロファイル（５６２−１）を形成する場合がある。第１のダイ電力プロファイル（５６２−１）は、第１のプリントヘッド・ダイ（５０２−１）についての駆動パルス（３５２）の各々によって生成される電流を定義している。したがって、第１のダイ電力プロファイル（５６２−１）は、第１のプリントヘッド・ダイ（５０２−１）の低減された最大電力需要を示している。
【００７５】
さらに、第２の駆動パルス（５５２−２）は、第２のプリントヘッド・ダイ（５０２−２）の種々のプリミティブについて生成され、図５Ａのプリミティブに関連するノズルを駆動する。図示のように、第２の駆動パルス（５５２−２）の長さは、第１の駆動パルス（５５２−１）と同じ長さである。図示のように、第２の駆動パルス（５５２−２）は、第１の外部遅延（５１４−１）によって遅延されている。図６Ａにおいて説明されるように、第１の外部遅延（５１４−１）は、ＡＳＩＣ（図１Ｃ、１５０）、及びＡＳＩＣ内の遅延回路（１１２）によって生成される。図示していないが、他の駆動パルスもまた、第２のプリントヘッド・ダイ（５０２−２）に関連するプリミティブについて生成される場合がある。さらに、他の駆動パルスは、上記のように内部遅延により、時間的に遅延される場合がある。第１の内部遅延は、第２の駆動パルス（５５２−２）を時間間隔（５５６）によって定義されるように６５０ｎＳだけ遅延させる。図示のように、第２の駆動パルス（５５２−２）、並びに第２のプリントヘッド・ダイ（５０２−２）に関連する他の駆動パルスは、第２のダイ電力プロファイル（５６２−２）を形成する場合がある。第２のダイ電力プロファイル（５６２−２）は、第２のプリントヘッド・ダイ（５０２−２）についての駆動パルスの各々によって生成される電流を定義している。したがって、第２のダイ電力プロファイル（５６２−２）は、第２のプリントヘッド・ダイ（５０２−２）の低減された最大電力需要を示している。
【００７６】
第３の駆動パルス（５５２−３）は、第３のプリントヘッド・ダイ（５０２−３）の種々のプリミティブについて生成され、図５Ａのプリミティブに関連するノズルを駆動する。図示のように、第３の駆動パルス（５５２−３）の長さは、第１の駆動パルス（５５２−１）と同じ長さである。図示のように、第３の駆動パルス（５５２−３）は、第２の外部遅延（５１４−２）によって遅延されている。図６Ａにおいて説明されるように、第２の外部遅延（５１４−２）は、ＡＳＩＣ（図１Ｃ、１５０）、及びＡＳＩＣ内の遅延回路（１１２）によって生成される。図示していないが、他の駆動パルスもまた、第３のプリントヘッド・ダイ（５０２−３）に関連するプリミティブについて生成される場合がある。さらに、他の駆動パルスは、上記のように内部遅延により、時間的に遅延される場合がある。第２の内部遅延は、第３の駆動パルス（５５２−３）を時間間隔（５５６）によって定義されるように６５０ｎＳだけ遅延させる。図示のように、第３の駆動パルス（５５２−３）、並びに第３のプリントヘッド・ダイ（５０２−３）に関連する他の駆動パルスは、第３のダイ電力プロファイル（５６２−３）を形成する場合がある。第３のダイ電力プロファイル（５６２−３）は、第３のプリントヘッド・ダイ（５０２−３）についての駆動パルスの各々によって生成される電流を定義している。したがって、第３のダイ電力プロファイル（５６２−３）は、第３のプリントヘッド・ダイ（５０２−３）の低減された最大電力需要を示している。
【００７７】
タイミング図（５５０）は、第４の駆動パルス（５５２−４）をさらに示している。第４の駆動パルス（５５２−４）は、第４のプリントヘッド・ダイ（５０２−４）の種々のプリミティブについて生成され、図５Ａのプリミティブに関連するノズルを駆動する。図示のように、第４の駆動パルス（５５２−４）の長さは、第１の駆動パルス（５５２−１）と同じ長さである。図示のように、第４の駆動パルス（５５２−４）は、第３の外部遅延（５１４−３）によって遅延されている。図６Ａにおいて説明されるように、第３の外部遅延（５１４−３）は、ＡＳＩＣ（図１Ｃ、１５０）、及びＡＳＩＣ内の遅延回路（１１２）によって生成される。図示していないが、他の駆動パルスもまた、第４のプリントヘッド・ダイ（５０２−４）に関連するプリミティブについて生成される場合がある。さらに、他の駆動パルスは、上記のように内部遅延により、時間的に遅延される場合がある。第３の内部遅延は、第４の駆動パルス（５５２−４）を時間間隔（５５６）によって定義されるように６５０ｎＳだけ遅延させる。図示のように、第４の駆動パルス（５５２−４）、並びに第４のプリントヘッド・ダイ（５０２−４）に関連する他の駆動パルスは、第４のダイ電力プロファイル（５６２−４）を形成する場合がある。第４のダイ電力プロファイル（５６２−４）は、第４のプリントヘッド・ダイ（５０２−４）についての駆動パルスの各々によって生成される電流を定義する。したがって、第４のダイ電力プロファイル（５６２−４）は、第４のプリントヘッド・ダイ（５０２−３）の低減された最大電力需要を示している。
【００７８】
これらのダイ電力プロファイル（５６２）は、上記のように結合されてもよく、それによってワイドアレイ・プリントヘッド電力プロファイル（５５４）が得られる。ワイドアレイ・プリントヘッド電力プロファイル（５５４）は、任意の所与の時点において、２つの完全に有効なプリントヘッド・ダイのみが有効であることを示している。
【００７９】
この例において、第１の印刷周期は、図５Ｂに示される実線によって定義されている。第２の印刷周期は、図５Ｂに示される点線によって定義されている。さらに、第１の印刷周期の終わり（５５８）は、点線によって定義されている。したがって、駆動パルス（５５２）に関連する遅延は有効であり、プリントヘッド・ダイの最大電力需要は低減される。
【００８０】
図６Ａは、本明細書に記載される種々の原理の一例による、ＡＳＩＣ（６０４）、及びＡＳＩＣ内の遅延回路（１１２）により制御される複数のプリントヘッド・ダイを示す図である。以下で説明されるように、ＡＳＩＣ（６０４）は、各プリントヘッド・ダイ内における複数の内部遅延の較正、及び駆動パルスの制御に使用される。上述のように、駆動パルスは、複数のノズルの各々について複数のノズル噴射ヒーターを駆動し、ノズルは、複数のプリミティブに関連している。
【００８１】
図示のように、ワイドアレイ・プリントヘッド・モジュール（６００）は、ＡＳＩＣ（６０４）を含む。ＡＳＩＣ（６０４）は、内部アナログ遅延の較正に使用される。一例において、ＡＳＩＣ（６０４）は、ＡＳＩＣ（６０４）が駆動パルスの往復経路長を測定することができるモードを選択することによって、較正されるべきプリントヘッド・ダイ（６０２）を設定する。ＡＳＩＣ（６０４）は、このモードにある間に、駆動パルスをプリントヘッド・ダイ（６０２）に送信し、クロックの分解能の中でＡＳＩＣクロック遅延ユニットの最適数を決定することで、プリントヘッド・ダイ（６０２）についてのプリミティブの遅延を最適化する。これによって、最大システム電力が最小化される。この特徴づけの後、印刷の前に、ＡＳＩＣ（６０４）は、クロックの分解能でデジタルレジスタをセットすることによって、各プリントヘッドを設定する。通常印刷動作において、プリントヘッド・ダイ（６０２）の各々は、基板上のデジタル・アナログ・コンバータ（ＤＡＣ）を使用して、内部プリミティブ遅延をプログラムされた値にセットするためのバイアス信号を生成する場合がある。
【００８２】
他の例において、ＡＳＩＣ（６０４）は、駆動パルスを送信することによる内部アナログ遅延の較正に使用される。この例では、プリントヘッド・ダイ（６０２）上の噴射ラインの端部から、リターン信号がＡＳＩＣ（６０４）に送り返される。駆動パルスは、開始点、及び終了点を有するプリントヘッド・ダイ（６０２）の種々のプリミティブの中を、バス（６０６）に沿って内部遅延を受けながら通過する。ここで、各プリミティブは、バス（６０６）に沿って遅延をもって接続されている。ＡＳＩＣ（６０４）は、バス（６０６）の端部からリターン遅延を測定し、ＡＳＩＣ内の遅延回路（１１２）を使用して、内部遅延について制御設定を調節する。制御設定は、各プリントヘッド・ダイについて固有であり、内部遅延をプログラムするための種々の制御ビットまたは電圧としてプリントヘッド・ダイ（６０２）に記憶されている。ＡＳＩＣ（６０４）は、遅延回路（１１２）を使用して遅延を目標遅延に調節し、調節は、測定、及び調節される遅延の十分な精度を確保するために十分に高い周波数で動作しているカウンタに基づいて行われることがある。もしリターン遅延が短すぎる場合、内部遅延は、より長くなるようにプログラムされる。もしバスのリターン遅延が長すぎる場合、内部遅延は、より短くなるようにプログラムされる。したがって、較正は、システムの精度内にセットされる。この較正によって、プロセス、電圧、及び熱の変化が補償される。一例においては、デフォルトの電圧設定、及び温度設定のもとで種々の構成要素のプロセス変化に対処するために、デフォルト較正を使用する場合がある。さらに、現場の電圧環境や温度環境に対処するために、ＡＳＩＣ（６０４）は、現場較正を使用する場合がある。
【００８３】
図６Ａに示されているように、ワイドアレイ・プリントヘッド・モジュール（６００）は、複数のプリントヘッド・ダイ（６０２）を含む。上述のように、プリントヘッド・ダイ（６０２）は、複数のプリミティブを含み、プリミティブは、種々のノズル群として定義されている。さらに、上記のように、プリントヘッド・ダイ（６０２）の各々は、複数の内部遅延を含む場合がある。
【００８４】
図６Ａに示されているように、ワイドアレイ・プリントヘッド・モジュール（６００）は、６個のプリントヘッド・ダイ（６０２）を含む。例えば、ワイドアレイ・プリントヘッド・モジュール（６００）は、プリントヘッド・ダイ１（６０２−１）、プリントヘッド・ダイ２（６０２−２）、プリントヘッド・ダイ３（６０２−３）、プリントヘッド・ダイ４（６０２−４）、プリントヘッド・ダイ５（６０２−５）、及びプリントヘッド・ダイ６（６０２−６）を含む。
【００８５】
プリントヘッド・ダイ（６０２）の各々は、バス（６０６）を介してＡＳＩＣ（６０４）に接続されている。例えば、プリントヘッド・ダイ１（６０２−１）は、バス１（６０６−１）を介してＡＳＩＣ（６０４）に接続され、プリントヘッド・ダイ２（６０２−２）は、バス２（６０６−２）を介してＡＳＩＣ（６０４）に接続され、残りのプリントヘッド・ダイ（６０２−３、６０２−４、６０２−５、６０２−６）は、それぞれのバス（６０６−３、６０６−４、６０６−５、６０６−６）を介してＡＳＩＣ（６０４）に接続されている。
【００８６】
図６Ｂ、図６Ｃ，及び図６Ｄにおいて説明されるように、駆動パルスは、バス（６０６）を介してプリントヘッド・ダイ（６０２）の各々に送信され、プリミティブの各々を、ワイドアレイ・プリントヘッド・モジュール（６００）の最大電力需要が低減されるような形で駆動することができる。
【００８７】
図６Ｂは、本明細書に記載される種々の原理の一例による、０．３３マイクロ秒（μＳ）の遅延に基づいて複数のプリントヘッド・ダイを制御し、プリントヘッド・ダイの最大電力需要を低減するためのタイミング図である。以下で説明されるように、図６ＡのＡＳＩＣ（６０４）は、複数の駆動パルスを制御して、プリントヘッド・ダイのプリミティブの各々に関連するノズルの各々についてノズル噴射ヒーターを駆動する。
【００８８】
図６Ｂに示されているように、第１の駆動パルス（６２２−１）は、第１のプリントヘッド・ダイ（６０２−１）のプリミティブについて生成され、図６Ａのプリミティブに関連するノズルを駆動する。第１の駆動パルス（６２２−１）は、ＡＳＩＣ（６０４）、及び遅延回路（１１２）によって生成され、バス１（６０６−１）を介して第１のプリントヘッド・ダイ（６０２−１）に対して生成される場合がある。一例において、第１の駆動パルス（６２２−１）は、長さに関連している。第１の駆動パルス（６２２−１）の長さは、時間間隔（６２６）によって定義されるように１．３μＳである場合がある。さらに、第１の駆動パルス（６２２−１）の長さは、図６Ａに示されるように、１つのプリミティブ当たり８個のノズル、１つのプリントヘッド・ダイ当たり４個のプリミティブ、６個のプリントヘッド・ダイ、印刷要求、または、それらの組み合わせに基づいている。図示していないが、他の駆動パルスもまた、第１のプリントヘッド・ダイ（６０２−１）に関連するプリミティブについて生成される場合がある。さらに、他の駆動パルスは、上記のように内部遅延により、時間的に遅延される場合がある。図示のように、第１の駆動パルス（６２２−１）、並びに第１のプリントヘッド・ダイ（６０２−１）に関連する他の駆動パルスは、第１のダイ電力プロファイル（６３２−１）を形成する場合がある。第１のダイ電力プロファイル（６３２−１）は、第１のプリントヘッド・ダイ（６０２−１）についての駆動パルスの各々によって生成される電流を定義している。したがって、第１のダイ電力プロファイル（６３２−１）は、第１のプリントヘッド・ダイ（６０２−１）の低減された最大電力需要を示している。
【００８９】
さらに、第２の駆動パルス（６２２−２）は、第２のプリントヘッド・ダイ（６０２−２）のプリミティブについて生成され、図６Ａのプリミティブに関連するノズルを駆動する。第２の駆動パルス（６２２−２）は、ＡＳＩＣ（６０４）、及び遅延回路（１１２）によって生成され、バス２（６０６−２）を介して第２のプリントヘッド・ダイ（６０２−２）に対して生成される場合がある。図示のように、第２の駆動パルス（６２２−２）の長さは、第１の駆動パルス（６２２−１）と同じ長さである。図示のように、第２の駆動パルス（６２２−２）は、ＡＳＩＣ（６０４）、及び遅延回路（１１２）によって遅延されている。図示していないが、他の駆動パルスもまた、第２のプリントヘッド・ダイ（６０２−２）に関連するプリミティブについて生成される場合がある。さらに、他の駆動パルスは、上記のように内部遅延により、時間的に遅延される場合がある。内部遅延、及び外部遅延は、第２の駆動パルス（６２２−２）を第１の駆動パルス（６２２−１）に対して時間間隔（６２６）によって定義されるように０．３３μＳだけ遅延させる。図示のように、第２の駆動パルス（６２２−２）、並びに第２のプリントヘッド・ダイ（６０２−２）に関連する他の駆動パルスは、第２のダイ電力プロファイル（６３２−２）を形成する場合がある。第２のダイ電力プロファイル（６３２−２）は、第２のプリントヘッド・ダイ（６０２−２）についての駆動パルスの各々によって生成される電流を定義している。したがって、第２のダイ電力プロファイル（６３２−２）は、第２のプリントヘッド・ダイ（６０２−２）の低減された最大電力需要を示している。
【００９０】
第３の駆動パルス（６２２−３）、第４の駆動パルス（６２２−４）、第５の駆動パルス（６２２−５）、及び第６の駆動パルス（６２２−６）は全て、図６の第１及び第２の駆動パルスに関係して上で説明したように、それぞれのプリントヘッド・ダイ（６０２−３、６０２−４、６０２−５、６０２−６）のそれぞれのプリミティブについて生成される。残りの駆動パルス（６２２−３、６２２−４、６２２−５、６２２−６）の各々に関し、内部遅延、及び外部遅延は、これらの駆動パルスをそれぞれの時間間隔（６２６）によって定義されるように０．３３μＳだけ遅延させる。したがって、ダイ電力プロファイル（６３２−３、６３２−４、６３２−５、６３２−６）は、それぞれのプリントヘッド・ダイ（６０２−３、６０２−４、６０２−５、６０２−６）の低減された最大電力需要を示している。
【００９１】
これらのダイ電力プロファイル（６３２）は、上記のように結合されてもよく、それによってワイドアレイ・プリントヘッド電力プロファイル（６２４）が得られる。ワイドアレイ・プリントヘッド電力プロファイル（６２４）は、任意の所与の時点において、４個の完全に有効なプリントヘッド・ダイのみが有効であることを示している。駆動パルス（６２２）の分散によって、同時過渡電流を最小化するような形で過渡電流が低減され、及びプリントヘッド・ダイ（６０２）の各々の電源ライン上に生じるリンギングを最小限に抑えることができ、したがって、リンギングを制御するための空間、及びコストを最小限に抑えることができる。
【００９２】
この例では、第１の印刷周期は、図６Ｂに示される実線によって定義されている。次の印刷周期は、図６Ｂに示される点線によって定義されている。さらに、第１の印刷周期の終わり（６２８）は、点線によって定義されている。したがって、駆動パルス（６２２）に関連する遅延は有効であり、プリントヘッド・ダイの最大電力需要は低減される。
【００９３】
図６Ｃは、本明細書に記載される種々の原理の一例による、０．５マイクロ秒（μＳ）の遅延に基づいて複数のプリントヘッド・ダイを制御し、プリントヘッド・ダイの最大電力需要を低減するためのタイミング図を示している。以下で説明されるように、図６ＡのＡＳＩＣは、複数の駆動パルスを制御して、プリントヘッド・ダイのプリミティブの各々に関連するノズルの各々についてノズル噴射ヒーターを駆動する。
【００９４】
図６Ｃに示されているように、第１から第６までの駆動パルス（６４２−１、６４２−２、６４２−３、６４２−４、６４２−５、６４２−６）は、それぞれのプリントヘッド・ダイ（６０２−１、６０２−２、６０２−３、６０２−４、６０２−５、６０２−６）のそれぞれのプリミティブについて生成され、図６Ａのそれぞれのプリミティブに関連するノズルを駆動する。駆動パルス（６４２−１、６４２−２、６４２−３、６４２−４、６４２−５、６４２−６）の長さは、時間間隔（６４６）によって定義されるように１．３μＳである場合がある。さらに、駆動パルス（６４２−１、６４２−２、６４２−３、６４２−４、６４２−５、６４２−６）の各々の間における遅延は、０．５μＳである。
【００９５】
図示のように、駆動パルス（６４２−１、６４２−２、６４２−３、６４２−４、６４２−５、６４２−６）、並びにプリントヘッド・ダイ（６０２−１）に関連する他の駆動パルスは、それぞれダイ電力プロファイル（６５２−１、６５２−２、６５２−３、６５２−４、６５２−５、６５２−６）を形成する場合がある。ダイ電力プロファイル（６５２）は、それぞれのプリントヘッド・ダイ（６０２−１、６０２−２、６０２−３、６０２−４、６０２−５、６０２−６）について駆動パルスの各々によって生成される電流を定義している。したがって、ダイ電力プロファイル（６５２）は、それぞれのプリントヘッド・ダイ（６０２）の低減された最大電力需要を示している。
【００９６】
これらのダイ電力プロファイル（６５２）は、上記のように結合されてもよく、それによってワイドアレイ・プリントヘッド電力プロファイル（６５４）が得られる。ワイドアレイ・プリントヘッド電力プロファイル（６５４）は、任意の所与の時点において、３個の完全に有効なプリントヘッド・ダイのみが有効であることを示している。駆動パルス（６４２）の分散によって、同時過渡電流を最小化するような形で過渡電流が低減され、及びプリントヘッド・ダイ（６０２）の各々の電源ライン上に生じるリンギングを最小限に抑えることができ、したがって、リンギングを制御するための空間、及びコストを最小限に抑えることができる。
【００９７】
この例では、第１の印刷周期は、図６Ｃに示される実線によって定義されている。次の印刷周期は、図６Ｃに示される点線によって定義されている。さらに、第１の印刷周期の終わり（６４８）は、点線によって定義されている。したがって、駆動パルス（６４２）に関連する遅延は有効であり、プリントヘッド・ダイの最大電力需要は低減される。
【００９８】
図６Ｄは、本明細書に記載される種々の原理の一例による、０．６５μＳの遅延に基づいて複数のプリントヘッド・ダイを制御し、プリントヘッド・ダイの最大電力需要を低減するためのタイミング図を示している。以下で説明されるように、図６ＡのＡＳＩＣは、複数の駆動パルスを制御して、プリントヘッド・ダイのプリミティブの各々に関連するノズルの各々についてノズル噴射ヒーターを駆動する。
【００９９】
図６Ｄに示されているように、第１から第６までの駆動パルス（６６２−１、６６２−２、６６２−３、６６２−４、６６２−５、６６２−６）は、それぞれのプリントヘッド・ダイ（６０２−１、６０２−２、６０２−３、６０２−４、６０２−５、６０２−６）のそれぞれのプリミティブについて生成され、図６Ａのそれぞれのプリミティブに関連するノズルを駆動する。駆動パルス（６６２−１、６６２−２、６６２−３、６６２−４、６６２−５、６６２−６）の長さは、時間間隔（６６６）によって定義されるように１．３μＳである場合がある。さらに、駆動パルス（６６２−１、６６２−２、６６２−３、６６２−４、６６２−５、６６２−６）の各々の間における遅延は、０．６５μＳである。
【０１００】
図示のように、駆動パルス（６６２−１、６６２−２、６６２−３、６６２−４、６６２−５、６６２−６）、並びにプリントヘッド・ダイ（６０２−１）に関連する他の駆動パルスは、それぞれダイ電力プロファイル（６７２−１、６７２−２、６７２−３、６７２−４、６７２−５、６７２−６）を形成する場合がある。ダイ電力プロファイル（６７２）は、それぞれのプリントヘッド・ダイ（６０２−１、６０２−２、６０２−３、６０２−４、６０２−５、６０２−６）について駆動パルスの各々によって生成される電流を定義している。したがって、ダイ電力プロファイル（６７２）は、それぞれのプリントヘッド・ダイ（６０２）の低減された最大電力需要を示している。
【０１０１】
これらのダイ電力プロファイル（６７２）は、上記のように結合されてもよく、それによってワイドアレイ・プリントヘッド電力特性（６６４）が得られる。ワイドアレイ・プリントヘッド電力特性（６６４）は、大半の時間にわたって、２つの完全に有効なプリントヘッド・ダイのみが有効であり、短い時間だけ、３個のみが有効であることを示している。駆動パルス（６６２）の分散によって、同時過渡電流を最小化するような形で過渡電流が低減され、及びプリントヘッド・ダイ（６０２）の各々の電源ライン上に生じるリンギングを最小限に抑えることができ、したがって、リンギングを制御するための空間、及びコストを最小限に抑えることができる。
【０１０２】
この例では、第１の印刷周期は、図６Ｄに示される実線によって定義されている。次の印刷周期は、図６Ｄに示される点線によって定義されている。さらに、第１の印刷周期の終わり（６６８）は、点線によって定義されている。したがって、駆動パルス（６６２）に関連する遅延は有効であり、プリントヘッド・ダイの最大電力需要は低減される。
【０１０３】
図７は、本明細書に記載される種々の原理の他の例による、ワイドアレイ・プリントヘッド・モジュール（１１０）の最大電力需要を低減する方法（７００）を示すフロー図である。ブロック７０１から７０５までは、図２に関係して上で説明したようなブロック２０１から２０５までに関係して上で説明したものと同様に進められる。ブロック７０６において、印刷装置（１００）は、印刷物の他の部分の印刷するために次のプリントヘッドを使用すべきか否かを判定する。もし印刷物の他の部分を印刷するために次のプリントヘッドを使用すべきではない場合（ブロック７０６、判定いいえ）、この方法は終了する。
【０１０４】
もし印刷物の他の部分を印刷するために次のプリントヘッドを使用すべき場合（ブロック７０６、判定はい）、次のプリントヘッドからインクを噴射する前に第１の外部遅延を決定する（ブロック７０７）。方法（７００）は次に、ブロック７０１へループバックし、次のプリントヘッドの種々のプリミティブについて内部遅延を決定する。このように、内部遅延は、任意の回数だけ、任意数のプリントヘッドについて実施される場合がある。さらに、複数のプリントヘッドの間における外部遅延を決定する場合がある。
【０１０５】
先の説明は、記載した原理の種々の例を図示説明するために提示している。説明は、それらの原理を、網羅的に記載することを意図するものでも、開示された何れかの厳密な形に制限することを意図するものでもない。上記の教示に鑑みて、多数の修正、及び変形が可能である。
【図１Ａ】
0006517939.tif 000002
【図１Ｂ】
0006517939.tif 000003
【図１Ｃ】
0006517939.tif 000004
【図２】
0006517939.tif 000005
【図３Ａ】
0006517939.tif 000006
【図３Ｂ】
0006517939.tif 000007
【図４Ａ】
0006517939.tif 000008
【図４Ｂ】
0006517939.tif 000009
【図５Ａ】
0006517939.tif 000010
【図５Ｂ】
0006517939.tif 000011
【図６Ａ】
0006517939.tif 000012
【図６Ｂ】
0006517939.tif 000013
【図６Ｃ】
0006517939.tif 000014
【図６Ｄ】
0006517939.tif 000015
【図７】
0006517939.tif 000016